(57)【特許請求の範囲】
【請求項１】
少なくとも前玉レンズと後玉レンズとからなる撮影レンズと、
大絞り開口が設けられ、前玉レンズと後玉レンズとの間または後玉レンズの後方に配置される大絞り板と、
露光開口を閉じる閉じ位置と露光開口を開く開き位置との間で回動自在とされたシャッタ羽根と、
前玉レンズと後玉レンズとの間に小絞り開口を挿入する小絞り位置と、前玉レンズと後玉レンズとの間から小絞り開口を退避させる大絞り位置との間で回動自在とされ、その回動中心が前記シャッタ羽根の回動中心と一致または近接され、かつ小絞り位置から大絞り位置への回動方向が前記シャッタ羽根の閉じ位置から開き位置への回動方向と同一にされた絞り切替板と、
前記シャッタ羽根の回動角度を変更して、シャッタ速度を高速シャッタと低速シャッタとの間で切り替えるシャッタ速度切替機構と、
前記撮影レンズが組み込まれるレンズ鏡筒の外周に回動自在に組み込まれて前記絞り切替板とシャッタ速度切替機構に連係され、撮影モードを切り替える操作部材の切り替え操作に連動して回動される切り替えリングとを備え、
前記切り替えリングは、前記絞り切替板を小絞り位置にセットし、かつ前記シャッタ速度切替機構を高速シャッタにセットする位置と、前記絞り切替板を大絞り位置にセットし、かつ前記シャッタ速度切替機構を低速シャッタにセットする位置との間で回動されることを特徴とするレンズ付きフイルムユニット。
【請求項２】
前記切替リングと絞り切替板は、切替リングの外周に設けられたリンクピンと、このリンクピンの移動によって絞り切替板が小絞り位置と大絞り位置との間で回動されるように該絞り切替板に形成された長穴によって連係されることを特徴とする請求項１記載のレンズ付きフイルムユニット。
【請求項３】
前記シャッタ速度切替機構は、前記シャッタ羽根の回動範囲内に挿入されてシャッタ羽根の開き位置への回動角度を規制する高速シャッタ位置と、前記シャッタ羽根の回動範囲から退避する低速シャッタ位置との間で回動自在とされたストップレバーからなり、前記切替リングとストップレバーは、切替リングの外周に設けられた一対の挟持ピンと、該ストップレバーに一体に設けられて挟持ピンの間に挟持される棒状のアームによって連係されることを特徴とする請求項１または２記載のレンズ付きフイルムユニット。
【発明の詳細な説明】
【０００１】
【発明の属する技術分野】
本発明は、レンズ付きフイルムユニットに関し、更に詳しくは、絞り値を切り替える機構を備えたレンズ付きフイルムユニットに関するものである。
【０００２】
【従来の技術】
簡単な撮影機構を備え、製造時に写真フイルムが装填されるレンズ付きフイルムユニットが各種製造販売されている。レンズ付きフイルムユニットは、携帯性やデザイン性を向上させるために、全体が薄型に形成されている。しかし、スナップ撮影に適した３０ｍｍ前後の焦点距離を得る必要性から、遮光筒を短くすることはできない。そのため、撮影レンズの周囲に隆起部を設け、この隆起部内に撮影レンズの周辺部品を収めている。
【０００３】
レンズ付きフイルムユニットでは、１枚のシャッタ羽根を蹴飛ばして回動させる蹴飛ばし式のシャッタ機構が用いられている。上記隆起部は、このシャッタ羽根と、シャッタ羽根の回動スペースとが収められる大きさにされている。
【０００４】
従来のレンズ付きフイルムユニットでは、暗い室内や夜間でのストロボ撮影を行うと、ストロボ光到達距離内の主要な被写体は適正な露出で撮影することができた。しかし、ストロボ光到達距離より遠方の背景などは、光の取り込み量が少なくなるため暗く撮影されていた。これを解決するために、特開平１０−３３３２８７号公報記載のレンズ付きフイルムユニットでは、小絞り穴が設けられた絞り切替板を回動させて撮影レンズの背後に挿脱させる絞り切替機構を設け、ストロボ撮影時に絞りを開いて周辺光の取り込み量を多くしている。
【０００５】
また、種々のレンズ付きフイルムユニットの中には、撮影画質の向上のために、撮影レンズを前玉レンズと後玉レンズとで構成し、これら前玉レンズと後玉レンズとの間に絞りを配置したもの（ビトウィーン絞り）がある。
【０００６】
【発明が解決しようとする課題】
上記ビトウィーン絞りを用いたレンズ付きフイルムユニットに、絞り切替機構を組み込むと、隆起部内に絞り切替板の作動スペースも必要となる。シャッタ羽根の回動方向と絞り切替板の回動方向とが異なると、隆起部が大型化してしまい、携帯性やデザイン性に対する大きな制約となる。
【０００７】
本発明は、上記問題点を解決するためのもので、ビトウィーン絞りと絞り切替機構とを用いたレンズ付きフイルムユニットにおいて、撮影レンズ周辺の隆起部の大型化を防ぐことを目的とする。
【０００８】
【課題を解決するための手段】
上記問題点を解決するために、本発明のレンズ付きフイルムユニットは、シャッタ羽根の回動中心と絞り切替板の回動中心とを一致又は近接させ、かつシャッタ羽根の閉じ位置から開き位置への回動方向と、絞り切替板の小絞り位置から大絞り位置への回動方向とを同一方向にしたものである。
【０００９】
また、レンズ鏡筒の外周に、絞りの切り替え操作に応じて回動される切替リングを組み込み、この切替リングの回動に連動して、絞り切替板を小絞り位置と大絞り位置との間で回動させるようにしたものである。切替リングの回動は、シャッタ速度の切り替えに利用することもできる
【００１０】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１１】
ユニット本体３の前面には、撮影レンズ５，ファインダ６，ストロボ発光部７，撮影モード選択部８等が設けられている。撮影レンズ５の周囲には、ユニット本体３の前面側に膨出された隆起部１３が設けられている。この隆起部１３の中には、撮影レンズ５や周辺部品が組み込まれている。
【００１２】
ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１３】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動される。
【００１４】
レンズ付きフイルムユニット２は、操作部材１５が第１操作位置にある際に、ストロボＯＦＦ及び小絞り及び高速シャッタの日中撮影モードとなる。また、操作部材１５が第２操作位置にある際には、ストロボＯＮ及び小絞り及び高速シャッタの日中シンクロ撮影モードとなる。この日中シンクロ撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００１５】
操作部材１５が第３操作位置にある際には、ストロボＯＮ及び大絞り及び低速シャッタの夜間シンクロ撮影モードとなる。この夜間シンクロ撮影モードでは、ストロボ発光部７の前方に板状の減光部材１９が下方から挿入され、ストロボ光量の減光が図られる。また、ファインダ６の前方には、円板状の指標板２０が突出される。この指標板２０は、ファインダ６内で視認されることにより、レンズ付きフイルムユニット２が夜間シンクロ撮影モードにあることを撮影者に知らせる。
【００１６】
図４は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。隆起部１３は、前カバー２６の前面に一体に形成されている。
【００１７】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンしてストロボ発光を行わせるシンクロスイッチ３０と、撮影モード選択部８の操作部材１５の移動によってオン／オフされる充電スイッチを構成する金属接片３１と、電池３２をストロボ回路に接続する電池接片３３等が取り付けられている。
【００１８】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００１９】
図５は、遮光筒３５の周囲に組み込まれたシャッタレリーズ機構，絞り切替機構，シャッタ速度切替機構，撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００２０】
シャッタレリーズ機構を構成するシャッタ羽根３８は、ピン３９に挿通される穴４３ａが形成されたベース部４３と、露光開口３７の前方に配置されて該露光開口３７の開閉を行う開閉部４４と、ベース部４３と開閉部４４とを接続する連結部４５とからなる。ベース部４３には、バネ４０の他端が掛けられるピン４３ｂと、シャッタ駆動レバー４７によって蹴飛ばされる突出部４３ｃと、ストロボユニット２４のシンクロスイッチ３０を動作させるシンクロ突起４３ｄとが設けられている。シャッタ羽根３８は、バネ４０に付勢されて露光開口３７を塞ぐ閉じ位置に保持されている。
【００２１】
シャッタ駆動レバー４７は、シャッタレリーズ機構を構成する部品の一つであり、シャッタチャージ機構によって図中時計方向のチャージ位置に回動される。そして、シャッタレリーズ時に、図中反時計方向のレリーズ位置に向けて回動し、その際にシャッタ羽根３８の突出部４３ｃを蹴飛ばす。シャッタ駆動レバー４７に蹴飛ばされたシャッタ羽根３８は、バネ４０の付勢に抗して図中時計方向の開き位置に向けて回動する。そして、レンズホルダ５６の内面に設けられたストッパーピン５６ａ（図９参照）に当接すると、バネ４０の付勢によって閉じ位置に復帰する。
【００２２】
また、シャッタ羽根３８は、開き位置への回動時に、シンクロ突起４３ｄでシンクロスイッチ３０の上部金属接片（第１金属接片）３０ａを押圧し、下部金属接片（第２金属接片）３０ｂに接触させる。一対の金属接片３０ａ，３０ｂが接触してシンクロスイッチ３０がＯＮすると、ストロボユニット２４の発光部７においてストロボ発光が行われる。
【００２３】
レンズホルダ５６上部には、ストップレバー４９を回動自在に支持するピン５０が形成されている。ストップレバー４９は、ピン５０に支持されるボス５１と、このボス５１の側面から突出された２本のアーム５２，５３と、一方のアーム５２の先端に形成されたパッド５４とからなる。
【００２４】
このストップレバー４９は、図６に示すように、パッド５４がシンクロスイッチ３０の下部金属接片３０ｂの自由端側の下方に挿入されて当接する高速シャッタ位置と、図７に示すように、パッド５４を下部金属接片３０ｂの下方から退避させる低速シャッタ位置との間で回動される。
【００２５】
図８に示すように、ストップレバー４９のパッド５４が高速シャッタ位置にある際にシャッタレリーズが行われると、シャッタ羽根３８のシンクロ突起４３ｄに押圧されたシンクロスイッチ３０の上部金属接片３０ａが下部金属接片３０ｂに接触し、ストロボ発光が行われる。下部金属接片３０ｂはパッド５４に当接するため、シャッタ羽根３８は途中で回動が阻止される。これにより、短時間でシャッタ羽根３８が閉じ位置に復帰する。この高速シャッタでは、例えば１／１２０秒のシャッタ速度を得ることができる。
【００２６】
また、シンクロスイッチ３０は、シンクロ突起４３ｄとパッド５４との間でオンされるので、確実に撮影開口５８が全開の時にストロボ発光を行うことができ、シンクロ撮影時の露出を適正に行うことができる。
【００２７】
上記とは逆に、図９に示すように、ストップレバー４９のパッド５４が低速シャッタ位置にある際には、シャッタ羽根３８の開き位置への回動が大きくなる。これは、金属接片３０ｂの弾性変形が自由になるためである。その結果、シャッタ羽根３８が閉じ位置に復帰するまでの時間が長くなって、シャッタ速度が遅くなる。この低速シャッタでは、例えば１／４５秒のシャッタ速度を得ることができる。
【００２８】
なお、下部金属接片３０ｂの自由端側をストップレバー４９のパッド５４に当接させるには、下部金属接片３０ｂの自由端側をやや下向きに形成しておき、パッド５４が下方に挿入された時に、パッド５４で下部金属接片３０ｂを少し持ち上げるようにするとよい。また、ストップレバー４９を支持するピン５０の下面に斜面を形成しておき、パッド５４が下部金属接片３０ｂの下方に近づくにしたがって、パッド５４が高さ方向で移動して下部金属接片３０ｂに当接するようにしてもよい。
【００２９】
遮光筒３５の前方には、略板状のレンズホルダ５６が取り付けられる。レンズホルダ５６の前面中央には、筒形状の鏡筒５７が形成されている。鏡筒５７内には、撮影開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、絞り切替機構を構成する大絞り板６２と、絞り切替板６３と、絞り切替板６３の挿入スペースを確保するスペーサー６４とが収められる。大絞り板６２は、円形の薄板からなり、中央に大径の絞り開口６２ａが形成されている。
【００３０】
レンズホルダ５６の前面には、鏡筒５７に収められた撮影レンズ５等の部品と、鏡筒５７の外周に取り付けられた切替リング６８とが外れないように押さえるレンズ押さえ板６５が取り付けられる。
【００３１】
絞り切替板６３は、く字形状の薄板からなり、一端に大絞り開口６２ａを塞ぐ大きさの小絞り部６３ａが設けられている。この小絞り部６３ａには、小径の絞り開口６３ｂが形成されている。絞り切替板６３の他端には、穴６３ｃと屈曲された長穴６３ｄとが形成されている。穴６３ｃは、レンズホルダ５６の鏡筒５７の近傍に形成されたピン６６に挿通され、絞り切替板６３を揺動自在とする。
【００３２】
絞り切替板６３は、小絞り開口６３ｂを撮影光軸上に配置する小絞り位置と、小絞り部６３ａを切欠５９から鏡筒５７の外に退避させ、大絞り開口６２ａを露呈させる大絞り位置との間で回動される。
【００３３】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９の他方のアーム５３が間に挟み込まれる一対の挟持ピン６８ｃと、背面側に突出され、撮影モード切替機構によって押圧される従動ピン６８ｄとが設けられている。
【００３４】
バネ７０の他端は、レンズホルダ５６の前面下部に形成されたピン７１に掛けられ、切替リング６８を図中時計方向に付勢する。なお、バネ７０によって付勢された切替リング６８は、絞り切替板６３によって所定の位置に保持される。
【００３５】
操作部材１５には、略小判形状の切替板７４が一体に形成されており、この切替板７４には水平方向に突出された押圧レバー７５が一体に形成されている。操作部材１５が第２操作位置から第３操作位置に回動すると、切替板７４の押圧レバー７５が切替リング６８の従動ピン６８ｄを下方から押圧する。これにより、切替リング６８は図中反時計方向に回動される。
【００３６】
図１０及び図１１は、日中撮影モード及び日中シンクロ撮影モードにある際の切替リング６８の状態を示している。操作部材１５が第１操作位置及び第２操作位置にある際には、操作部材１５の押圧レバー７５は切替リング６８の従動ピン６８ｄに接触しない。そのため、切替リング６８は、絞り切替板６３によって初期位置に保持されている。
【００３７】
切替リング６８が初期位置にある際には、リンクピン６８ｂによって絞り切替板６３の小絞り部６３ａが鏡筒５７内に挿入される。これにより、小絞り部６３ａが大絞り開口６２ａを塞いで小絞り状態となる。また、一対の挟持ピン６８ｃは、ストップレバー４９を高速シャッタ位置に保持している。
【００３８】
図１２に示すように、操作部材１５が第２操作位置から第３操作位置へと回動されると、押圧レバー７５が従動ピン６８ｄを下方から押圧して切替リング６８を図中反時計方向に回動させる。この切替リング６８の回動により、リンクピン６８ｂに押圧された絞り切替板６３が図中時計方向に回動し、小絞り部６３ａが光軸上から退避して大絞り状態となる。また、一対の挟持ピン６８ｃはストップレバー４９を回動させ、パッド５４を低速シャッタ位置にセットする。
【００３９】
図９に示すように、シャッタ羽根３８と絞り切替板６３とは、レンズ付きフイルムユニットの前面側から見た回動中心が近接しており、回動方向が同一で、回動範囲もほぼ等しくされている。また、鏡筒５７の周囲で回動する切替リング６８により絞り切替板６３を回動させるようにしているため、隆起部１３は、シャッタ羽根３８の回動スペースを備えていた従来のレンズ付きフイルムユニットの隆起部と同程度の大きさとなる。これにより、レンズ付きフイルムユニットの携帯性やデザイン性を悪化させることはない。
【００４０】
図１３は、撮影モード切替機構２５の構成を示す分解斜視図である。撮影モード切替機構２５は、操作部材１５と、軸受板７７と、スライド板７８と、受け板７９と、減光レバー８０と、減光板８７と、表示レバー８１とから構成されている。
【００４１】
図１４に示すように、操作部材１５の前面には、操作時の指かかりを得るために略円錐形状の指掛け部８３が形成されている。この指掛け部８３には、階段状の段差が形成されて指かかりが向上されている。また、指掛け部８３の先端には、検査機の治具が挿入される穴８３ａが形成されている。レンズ付きフイルムユニット２の完成後に行われる撮影モード切替機構の検査では、指掛け部８３の穴８３ａに検査機の治具８５が挿入され、この治具８５が上下方向でのスライドと回動とを行うことにより、撮影モード切替機構２５の動作が確かめられる。
【００４２】
受け板７９は、ストロボユニット２４のプリント基板２９の前面に取り付けられ、スライド板７８と軸受板７７とを上下方向でスライド自在となるように保持する。操作部材１５は、軸受板７７に回動自在に保持される。操作部材１５が第１操作位置から第２操作位置へとスライドされると、軸受板７７とスライド板７８とが一緒に上方にスライドする。操作部材１５が第２操作位置から第３操作位置へと回動されると、軸受板７７は移動せず、スライド板７８が更に上方にスライドされる。
【００４３】
スライド板７８には、シグナル部材１７の係合ピン１７ａに係合する係合部７８ａが設けられている。操作部材１５が第１操作位置にある際には、シグナル部材１７はユニット本体３内に収納されている。操作部材１５が第２操作位置または第３操作位置に操作されると、シグナル部材１７はスライド板７８のスライドに連動してユニット本体３の上面から突出される。
【００４４】
軸受板７７の背面には、操作部材１５が第２操作位置または第３操作位置にある時に、スライド板７８と受け板７９とを貫通して、ストロボユニット２４の充電スイッチの金属接片３１を押圧する押圧片７７ａが設けられている。
【００４５】
受け板７９には、減光レバー８０と表示レバー８１とが回動自在に取り付けられるピン７９ａ，７９ｂが設けられている。減光板８７は、減光部材１９の下方に縦方向の長穴８７ａと横方向の長穴８７ｂとが形成されている。縦方向の長穴８７ａには、前カバー２６の前面内壁でストロボ発光部の下方に形成された複数本のピンが挿入される。これにより、減光板８７は前カバー２６の内側において上下方向でスライド自在となる。横方向の長穴８７ｂには、減光レバー８０の先端８０ａに形成されたリンクピン８０ｂが挿入される。
【００４６】
減光レバー８０は、操作部材１５が第３操作位置に操作された時に、切替板７４に一体に設けられた減光用突起７４ａでリフト片８０ｃが押圧されて図中反時計方向に回動する。その際に、リンクピン８０ｂで減光板８７を持ち上げ、減光部材１９をストロボ発光部７の前方に挿入する。表示レバー８１は、減光レバー８０の回動に連動して時計方向に回動され、ファインダ６の前方に指標板２０を挿入する。
【００４７】
次に、上記実施形態の作用について説明する。図１に示すように、日中撮影モードにあるレンズ付きフイルムユニット２は、撮影モード選択部８の操作部材１５が開口１４の下方の第１操作位置にスライドされている。
【００４８】
この日中撮影モードでは、図１０に示すように、切替リング６８がバネ７０に付勢されて初期位置にある。切替リング６８が初期位置にある時には、絞り切替板６３が小絞り位置にセットされ、図６に示すように、ストップレバー４９が高速シャッタ位置にセットされている。
【００４９】
また、日中撮影モードでは、切替板７４，軸受板７７，スライド板７８が下方にあるため、ストロボユニット２４の充電スイッチの金属接片３１は押圧されておらず、シグナル部材１７はユニット本体３の上面から突出されていない。更に、切替板７４の減光用突起７４ａが減光レバー８０のリフト片８０ｃに当接しないため、減光部材１９と指標板２０はレンズ付きフイルムユニット２の前面に露呈されない。
【００５０】
日中撮影モードで撮影を行うと、ストロボ発光は行われない。また、絞りの状態は小絞り状態であり、図８に示すように、ストップレバー４９によってシャッタ羽根３８の回動が途中で阻止され、シャッタ速度が速くなる。これにより、輝度の高い日中屋外での撮影に適した露出で撮影を行うことができる。
【００５１】
図２に示すように、撮影モード選択部８の操作部材１５が開口１４の上方の第２操作位置にスライドされると、レンズ付きフイルムユニット２は日中シンクロ撮影モードにセットされる。
【００５２】
図１１に示すように、日中シンクロ撮影モードにおいても、切替リング６８は初期位置に維持される。そのため、日中撮影モードと同様に、小絞り状態及び高速シャッタ状態となる。
【００５３】
また、日中シンクロ撮影モードでは、切替板７４，軸受板７７，スライド板７８が上方にスライドされている。ストロボユニット２４の充電スイッチの金属接片３１は、軸受板７７の押圧片７７ａに押圧されてオン状態となるため、ストロボユニット２４ではストロボ充電が行われる。
【００５４】
スライド板７８は、シグナル部材１７を押圧して、ユニット本体３の上面から突出させている。ストロボ充電が完了すると、ストロボユニット２４に設けられた発光素子が点灯または点滅し、この発光素子の光は、シグナル部材１７にガイドされてユニット本体３外に放射される。
【００５５】
日中シンクロ撮影モードでも、切替板７４の減光用突起７４ａは減光レバー８０のリフト片８０ｃに当接しない。そのため、減光部材１９と指標板２０との非表示状態が維持される。
【００５６】
日中シンクロ撮影モードで撮影を行うと、ストロボ発光が行われる。小絞り状態及び高速シャッタ状態であるため、輝度の高い日中屋外でのシンクロ撮影に適した露出で撮影を行うことができる。
【００５７】
図３に示すように、撮影モード選択部８の操作部材１５が第２操作位置から第３操作位置に回動されると、レンズ付きフイルムユニット２は夜間シンクロ撮影モードにセットされる。
【００５８】
図１２に示すように、夜間シンクロ撮影モードでは、切替板７４の押圧レバー７５が切替リング６８の従動ピン６８ｄを下方から押圧する。切替リング６８は、バネ７０の付勢に抗して初期位置から反時計方向に回動する。切替リング６８の回動に連動して絞り切替板６３が大絞り位置に回動し、大絞り開口６２ａが撮影光軸上に配置される。また、ストップレバー４９は、図７に示すように、低速シャッタ位置にセットされる。
【００５９】
夜間シンクロ撮影モードでは、切替板７４が操作部材２５と一緒に回動され、スライド板７８が日中シンクロ撮影モードの時よりも更に上方にスライドされる。そのため、シグナル部材１７も若干上方に移動されるが、充電完了を表示する機能は損なわれない。なお、軸受板７７は、日中シンクロ撮影モードの時と同じ位置に保持されるため、ストロボユニット２４の充電スイッチは、オン状態が維持される。
【００６０】
夜間シンクロ撮影モードでは、切替板７４の減光用突起７４ａによってリフト片８０ｃが押圧される。そのため、減光レバー８０が図中反時計方向に回動し、リンクピン８０ｂで減光板８７を持ち上げる。これにより、減光部材１９がストロボ発光７の前方に挿入される。また、減光レバー８０の回動に連動して表示レバー８１が回動し、指標板２０がファインダ６の前方に挿入される。これにより、撮影者がファインダ６を覗いた時に、夜間シンクロ撮影モードにあることが分かる。
【００６１】
夜間シンクロ撮影モードで撮影を行うと、ストロボ発光が行われるが、減光部材１９によってストロボ光が遮られるため、ストロボ光量は小さくなる。また、大絞り及び低速シャッタ状態となるため、被写体の周辺光の取り込みが増加する。これにより、夜間や屋内での撮影でも露光オーバーを発生させることなく、被写体と被写体の周辺画像とをバランスよく撮影することができる。
【００６２】
【発明の効果】
以上説明したように、本発明のレンズ付きフイルムユニットによれば、シャッタ羽根と絞り切替板との回動中心を近接させ、回動方向を同一にしたので、シャッタ羽根と絞り切替板との回動スペースを共用させることができる。これにより、撮影レンズの周囲の隆起部を従来のレンズ付きフイルムユニットの隆起部と同程度の大きさにし、携帯性とデザイン性とを維持することができる。
【００６３】
また、レンズ鏡筒の周囲で回動される切替リングによって、絞りとシャッタ速度とを切り替えるようにしたので、隆起部の小型化を図ることができる。
【図面の簡単な説明】
【図１】本発明を用いたレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】レンズ付きフイルムユニットの構成を示す分解斜視図である。
【図５】絞り及びシャッタ速度切替機構の構成を示す分解斜視図である。
【図６】ストップレバーの高速シャッタ位置を示す説明図である。
【図７】ストップレバーの低速シャッタ位置を示す説明図である。
【図８】高速シャッタ状態でのシャッタレリーズを示す説明図である。
【図９】低速シャッタ状態でのシャッタレリーズを示す説明図である。
【図１０】絞り及びシャッタ速度切替機構の日中撮影モードを示す説明図である。
【図１１】絞り及びシャッタ速度切替機構の日中シンクロ撮影モードを示す説明図である。
【図１２】絞り及びシャッタ速度切替機構の夜間シンクロ撮影モードを示す説明図である。
【図１３】撮影モード切替機構の構成を示す分解斜視図である。
【図１４】撮影モード切替機構の検査時の操作部材の駆動方法を示す説明図である。
【符号の説明】
２  レンズ付きフイルムユニット
３  ユニット本体
６  ファインダ
７  ストロボ発光部
８  撮影モード選択部
１３  隆起部
１５  操作部材
１９  減光部材
２０  指標板
２５  撮影モード切替機構
３０  シンクロスイッチ
３１  金属接片
３８  シャッタ羽根
４９  ストップレバー
６２  大絞り板
６３  絞り切替板
６５  レンズ押さえ板
６８  切替リング
７４  切替板
７７  軸受板
７８  スライド板
７９  受け板
８０  減光レバー
８１  表示レバー
８７  減光板
【図１】
0003912781.tif 000002
【図２】
0003912781.tif 000003
【図３】
0003912781.tif 000004
【図４】
0003912781.tif 000005
【図５】
0003912781.tif 000006
【図６】
0003912781.tif 000007
【図７】
0003912781.tif 000008
【図８】
0003912781.tif 000009
【図９】
0003912781.tif 000010
【図１０】
0003912781.tif 000011
【図１１】
0003912781.tif 000012
【図１２】
0003912781.tif 000013
【図１３】
0003912781.tif 000014
【図１４】
0003912781.tif 000015